(57)【要約】  一対のストレッチャー棒部（１４，１６）を有する装置（１０）。可動式スライド部（１２）が動くことにより、第二の棒部が第一の棒部に対して往復運動することができる間、第一の棒部は固定されたままである。本発明の装置は２つの構成要素を有する眼内レンズのリング部を伸張し挿入するのに便利である。
2007519471.tif 000002
【特許請求の範囲】
【請求項１】
眼内レンズ注入器システムであって、
ａ）ノーズピース部を有するハンドピース部と
ｂ）前記ノーズピース部に固定され、前記ハンドピース部より突出する第一のストレッチャー棒部と、
ｃ）前記第一のストレッチャー棒部に対し第二のストレッチャー棒部が往復運動できるように、前記ノーズピース部を貫通し、前記ハンドピース部より突出し、前記ハンドピース部に取り付けられた第二のストレッチャー棒部と、を有するレンズ注入器システム。
【請求項２】
前記ストレッチャー棒部がフック部を有する、請求項１に記載のレンズ注入器システム。
【請求項３】
前記第一及び第二のストレッチャー棒部が同軸である、請求項１に記載のレンズ注入器システム。
【請求項４】
前記第二のストレッチャー棒部が前記ハンドピース部上の親指スライド部に取り付けられている、請求項１に記載のレンズ注入器システム。
【請求項５】
眼内レンズ注入器システムであって、
ａ）ノーズピース部を有するハンドピース部と
ｂ）第一のフック部を有する第一のストレッチャー棒部と、
ｃ）第二のフック部を有し、前記第一のストレッチャー棒部内に同軸に取り付けられている第二のストレッチャー棒部と、を有し、
前記第一及び第二のストレッチャー棒部が互いに対して往復運動できるように、前記第一及び第二のストレッチャー棒部が前記ハンドピース部に取り付けられている、レンズ注入器システム。
【請求項６】
前記第二のストレッチャー棒部が前記ハンドピース上の親指スライド部に取り付けられている、請求項５に記載のレンズ注入器システム。
【請求項７】
前記第一のストレッチャー棒部が前記ハンドピース部上の親指スライド部に取り付けられている、請求項５に記載のレンズ注入器システム。
【発明の詳細な説明】
【技術分野】
【０００１】
本発明は、眼内レンズ（ＩＯＬｓ）に関し、より詳細には、ＩＯＬｓを眼内に挿入するために使用する注入器に関する。
【背景技術】
【０００２】
最も簡単に言えば人間の目は、角膜と呼ばれる透明な外側部を通して光が伝わって視力を提供するように機能し、網膜上の水晶体を通して結像するように機能する。結像の質は、目の大きさと形、そして角膜と水晶体の透明度を含んだ多くの要因によって決まる。
【０００３】
年齢と病気が水晶体の透明度の低下を引き起こすときは、網膜に伝えることができる光の減少により、視力が悪化する。この目の水晶体内の欠陥は、医学上、白内障として知られている。この病気の受け入れられている治療は、水晶体の外科的な除去と人工の眼内レンズ（ＩＯＬ）によるレンズ機能の交換である。
【０００４】
初期のＩＯＬｓは、ポリメチルメタクリレート（ＰＭＭＡ）などの硬いプラスティックで作られていたが、シリコン、ソフトアクリル、及び、ヒドロゲルで作られた柔軟で、折りたためるＩＯＬｓは、これらのソフトレンズが折りたためる、または、丸めることができ、比較的小さな切開でそれらを挿入できるので評判がよい。レンズを折りたたむ、又は、丸めるいくつかの方法が使用されている。評判のよい方法の一つは、レンズを折りたたみ、通常は柔らかいチッププランジャを用いて、レンズを目に挿入できる比較的小さな内径孔を備える注入カートリッジである。最も一般に使用されている注入カートリッジのデザインは米国特許第４，６８１，１０２号（バーテル）で図示されており、分割され、長手方向にヒンジで連結されたカートリッジを有している。類似のデザインが、米国特許第５，４９４，４８４号と第５，４９９，９８７号（フェインゴールド）、及び、第５，６１６，１４８号と第５，６２０，４５０号（イーグルらの）に図示されている。米国特許第４，６８１，１０２号の請求項を避けるために、いくつかの硬いカートリッジが調査されている。例えば、米国特許第５，２７５，６０４号（リーニッシュらの）、及び、第５，６５３，７１５（リッチらの）を参照。
【０００５】
これら先行技術の装置は、略長手方向に対称的で、通常、挿入カートリッジの口径にぴったりとはまる円筒形、または、フレアーの柔軟なチップを有するプランジャーを使用している。例えば、米国特許第４，６８１，１０２号（バーテル）と米国特許第４，９１９，１３０号（ストイらの）、及び、国際特許公報第ＷＯ９６／２９９５６号を参照することにより、それらの全ての内容は、本発明の明細書の中に盛り込まれる。その他のプランジャーは、ＩＯＬの端部をつかむためのフック形、または、フォーク形のチップを有している。例えば、米国特許第４，５７３，９９８号（マゾッコ）、第５，４９４，４８４号と第５，４９９，４８４号（フェインゴールド）、第５，６１６，１４８号と第５，６２０，４５０号（イーグルらの）、及び、第５，６５３，７１５号（リッチらの）を参照することにより、それらの全ての内容は、本発明の明細書の中に盛り込まれる。最近、商業的に導入されたあるプランジャーは、ＩＯＬがカートリッジ内を下方向に進む際にチップの周りに巻きつくように設計されている。例えば、米国特許第５，７３５，８５８号（マッカーらの）を参照することにより、それらの全ての内容は、本発明の明細書の中に盛り込まれる。
【０００６】
これらの対称的なプランジャーデザインが成果を挙げても、大きいチップは、通常は３．０ｍｍ、または、それ以上の比較的大きな切開を必要とする。それゆえに、３．０ｍｍより小さい切開で使用できるように設計されたＩＯＬ注入器は引き続き必要とされている。
【発明の開示】
【０００７】
本発明は、一対のストレッチャー棒部を有する装置を備えることで、先行技術のレンズ注入器を改良する。可動式スライド部を動かすことにより、第二の棒部が、第一の棒部に対して往復運動する間、第一の棒部は固定されたままである。本発明の装置は２つの構成要素を有する眼内レンズのリング部を伸張し挿入するのに有用である。
【０００８】
従って、本発明の目的は一対のストレッチャー棒部を有するレンズ注入器を提供することである。
【０００９】
本発明の別の目的は、互いに対して動く一対のストレッチャー棒部を有するレンズ注入器を提供することである。
【００１０】
本発明のさらに別の目的は、２つの構成要素を有する眼内レンズのリング部を伸張し挿入するのに有用なレンズ注入器を提供することである。
【００１１】
本発明の他の諸目的、特長、及び、有利点は、図面を参照すること、並びに、図面、及び、特許請求の範囲の記載から明らかになるであろう。
【発明を実施するための最良の形態】
【００１２】
図１、図２ａ、及び、図２ｂから明らかなように、本発明による眼内レンズ注入器１０は、通常ハンドピース部１０、ストレッチャー棒部１４、及び、ストレッチャー棒部１６を有する。ハンドピース部１０は往復式の親指スライド部１２、ノーズピース部１８、及び、可変長グリップ部２０を有する。グリップ部２０は使用者の手により快適になじむために伸縮されてもよい。親指スライド部１２を往復に動かすと、ストレッチャー棒部１６が、ストレッチャー棒部１４に対して、対応する往復運動をするために、ストレッチャー棒部１６はノーズピース部１８を貫通し親指スライド部１２に固定されているが、ストレッチャー棒部１４はノーズピース部１８に固定されている。親指スライド部１２はどちらかの方向に、ばね付勢されてもよく、手動操作の他に、電子的、または、空気圧などにより作動させてもよい。ストレッチャー棒部１４はフック部２２を有し、ストレッチャー棒部１６はフック部２４を有している。ストレッチャー棒部１４、及び、１６は、チタン、ステンレス鋼、または、熱可塑性物質で作られているのが好ましい。
【００１３】
図２ａ、及び、図２ｂから明らかなように、眼内レンズ注入器１０は、多数の部分から構成されるレンズのリング部２６と組み合わせると最も有用である。適したレンズの一つが米国特許出願書第１０／６１８，９５４号で記載されているが、特に、３ページの２５行―２８行と４ページの１行―１４行、及び、図１、図２、と図３におけるレンズシステムの説明を参照することにより、それらの全ての内容は、本発明の明細書の中に盛り込まれる。リング部２６は、それぞれストレッチャー棒部１４と１６上のフック部２２と２４で適当な位置に保持されている。親指スライド部１２が動くことで、親指スライド部１２の動く方向により、フック部２４をフック部２２に近づけたり遠ざけたりする。図２ｂで示されるように、フック部２４をフック部２２から遠ざけるとリング部が伸長する。リング部２６の伸長により、リング部２６の断面積は小さくなる。伸長時にリング部２６は、できれば３ｍｍ、又は、より望ましくは２．００ｍｍ、または、それより小さい比較的小さい切開部を通じ、眼内に挿入することができる。図２ａで最も良く示されているように、ストレッチャー棒部１６は突出部１７を有する。突出部１７は、注入器１０が目から離されるときにフック２４が切開部に引っかかるのを防止する。
【００１４】
図３、及び、図４で最も良く表されているように、ストレッチャー棒部１４’、及び、ストレッチャー棒部１６’が同軸となり、フック部２２’、及び、フック部２４’を接近させたり遠ざけたりするために、ストレッチャー棒部１６’が、スロット３０内部でストレッチャー棒部１４’内を往復するように、ストレッチャー棒部１４’は、あるいは、ストレッチャー棒部１６’を取り囲む中空管で構成されていてもよい。
【００１５】
図５、図６、及び、図７で最も良く表されているように、ストレッチャー棒部１４”は、ストレッチャー棒部１６”の先端より突き出ていても良い。そのような構成では、ストレッチャー棒部１６”がストレッチャー棒部１４”上を同軸に往復するように、ストレッチャー棒部１４”は固定されていてもよい。ストレッチャー棒部１４”は、フック部２２”を有し、ストレッチャー棒部１６”は、フック部２４”、及び、突起部１７”を有しているか、さもなければ、上述したものと類似の構造である。
【００１６】
本発明の一の実施形態について上述したが、これらの記載は例示と説明の目的のために提示されたものである。変形、変更、修正、及び、上記で開示されたシステム、及び、手段からの逸脱が、本発明の範囲と精神から逸脱することなく行われることができる。
【図面の簡単な説明】
【００１７】
【図１】本発明のレンズ注入器の拡大斜視図である。
【図２ａ】緩んだ状態のストレッチャー棒部を表す、図１の円２で切り取った本発明によるレンズ注入器のチップ部の第一の実施形態の拡大斜視図である。
【図２ｂ】後ろに引いた状態のストレッチャー棒部を表す、図１の円２で切り取った本発明のレンズ注入器のチップ部の第一の実施形態の拡大斜視図である。
【図３】本発明のレンズ注入器の第二の実施形態の側面図である。
【図４】本発明のレンズ注入器の第二の実施形態の底面図である。
【図５】本発明のレンズ注入器のチップ部の第三の実施形態の側面図である。
【図６】本発明のレンズ注入器のチップ部の第三の実施形態の底面図である。
【図７】本発明のレンズ注入器のチップ部の第三の実施形態の斜視図である。
【図１】
2007519471.tif 000003
【図２ａ】
2007519471.tif 000004
【図２ｂ】
2007519471.tif 000005
【図３】
2007519471.tif 000006
【図４】
2007519471.tif 000007
【図５】
2007519471.tif 000008
【図６】
2007519471.tif 000009
【図７】
2007519471.tif 000010
【国際調査報告】
2007519471.tif 000011